(57)【特許請求の範囲】
【請求項１】
記録媒体に液体を噴射するノズルを有する液体噴射ヘッドと、
前記液体噴射ヘッドを抱え、前記記録媒体に対して前記液体噴射ヘッドを相対的に第１方向に走査させるキャリッジと、
前記記録媒体を前記第１方向と直交する第２方向に搬送する記録媒体搬送手段と、
前記記録媒体搬送手段により搬送される前記記録媒体を支持する記録媒体支持手段と、
前記キャリッジを収容し、前記記録媒体支持手段の鉛直方向上方に位置する第１室であって、前記記録媒体が進入する第１室第１開口部と前記記録媒体が通過する第１室側開口を備える第１室と、
前記第１室の前記第２方向下流かつ前記記録媒体支持手段の鉛直方向上方に位置する第２室であって、前記記録媒体が通過する第２室側開口と前記記録媒体が進出する第２室第２開口部を備える第２室と、
前記第１室側開口と前記第２室側開口を連通させ前記記録媒体を通過させる連通路と、
前記第１方向にカッターを動作させるカッターユニットと、
を備え、
前記記録媒体支持手段は、前記連通路の鉛直方向下方であって前記第１方向に沿って間隙部を有し、
前記カッターユニットは、前記カッターを前記間隙部に沿って動作させ、
さらに、
前記第２室を前記第１室より低い圧力に保つファンユニットと、を有することを特徴とする液体噴射装置。
【請求項２】
前記第２室側開口は、前記第１室側開口より狭いことを特徴とする請求項１に記載の液体噴射装置。
【請求項３】
記録媒体に液体を噴射するノズルを有する液体噴射ヘッドと、
前記液体噴射ヘッドを抱え、前記記録媒体に対して前記液体噴射ヘッドを相対的に走査させるキャリッジと、
前記記録媒体を前記第１方向と直交する第２方向に搬送する記録媒体搬送手段と、
前記記録媒体搬送手段により搬送される前記記録媒体を支持する記録媒体支持手段と、
前記キャリッジを収容し、前記記録媒体支持手段の鉛直方向上方に位置する第１室であって、前記記録媒体が進入するに第１室第１開口部と前記記録媒体が通過する第１室側開口を備える第１室と、
前記第１室の前記第２方向下流かつ前記記録媒体支持手段の鉛直方向上方に位置する第２室であって、前記記録媒体が通過する第２室側開口と前記記録媒体が進出する第２室第２開口部を備える第２室と、
前記第１室側開口と前記第２室側開口を連通させ前記記録媒体を通過させる連通路と、
前記第１方向にカッターを動作させるカッターユニットと、
を備え、
前記記録媒体支持手段は、前記連通路の鉛直方向下方であって前記第１方向に沿って間隙部を有し、
前記カッターユニットは、前記カッターを前記間隙部に沿って動作させ、
さらに、
前記キャリッジの一側面に一端が取り付けられると共に他端が前記第１室に取り付けられる第１蛇腹と、
前記第１蛇腹の伸縮に伴い、前記第１蛇腹内に気体を前記第１室外から吸気する第１吸気弁と、
前記第１蛇腹内から気体を前記第１室内に排気する第１排気弁と、
前記キャリッジの他側面に一端が取り付けられると共に他端が前記第１室に取り付けられる第２蛇腹と、
前記第２蛇腹の伸縮に伴い、前記第２蛇腹内に気体を前記第１室外から吸気する第２吸気弁と、
前記第２蛇腹内から気体を前記第１室内に排気する第２排気弁と、を有することを特徴とする液体噴射装置。
【請求項４】
前記第２室を前記第１室より低い圧力に保つファンユニットと、を有する請求項３に記載の液体噴射装置。
【請求項５】
前記第２室側開口は、前記第１室側開口より狭いことを特徴とする請求項３又は請求項４に記載の液体噴射装置。
【発明の詳細な説明】
【技術分野】
【０００１】
本発明は、被噴射材の液体噴射面に液体を噴射する液体噴射装置に関する。
【背景技術】
【０００２】
液体をターゲットに噴射する液体噴射装置には、インクを記録媒体に噴射して印刷を施すインクジェット式記録装置が知られている。このようなインクジェット式記録装置の中には、ロール状に巻かれた長尺の記録媒体（ロール紙）を所定の搬送方向に搬送してこのロール紙に画像を形成するタイプのものがある。
【０００３】
このタイプの液体噴射装置には、一般に、上記の搬送方向に直交する方向に走行しながら記録媒体を切断するロール紙切断装置が組み込まれている。この切断装置は、記録媒体に接触してこの記録媒体を切断するカッターを有しており、このカッターによって記録媒体が所定の大きさになるように切断される。
【０００４】
上記のようなロール紙切断装置にあっては、カッターでロール紙を切断する際には紙粉や切りかすが発生することがよくある。このような紙粉等が、インクを噴射するノズルに付着し、画質の低下を招くことがある。そこで、このような紙粉等を取り除く方法が種々提案されている。
【０００５】
例えば、特許文献１（特開２００２−７２５９４号公報）には、搬送ローラーなどにブラシを押圧することにより、ローラーに付着した紙粉を除去するものが記載されている。この特許文献１の技術は、軸の長手方向両端部それぞれにはコロが固定されてなり、紙粉や紙の切り屑を吸着する吸着部材をロール紙を押える弾性体として構成し、切断装置のカッターでロール紙を切断する際は、前記コロと前記吸着部材で被切断部の近傍を押えるものである。
【特許文献１】特開２００２−７２５９４号公報
【発明の概要】
【発明が解決しようとする課題】
【０００６】
しかし、上記従来の技術では、ロール紙に付着した紙粉は吸着部材で吸着するだけであるため、紙粉が充分に除去できないことがあり、この場合には、紙粉がインクを噴射するノズルに付着し、画質の低下を招くこととなり、問題であった。
【課題を解決するための手段】
【０００７】
本発明は上記課題を解決するためのもので、本発明に係る液体噴射装置は、記録媒体に液体を噴射するノズルを有する液体噴射ヘッドと、前記液体噴射ヘッドを抱え、前記記録媒体に対して前記液体噴射ヘッドを相対的に第１方向に走査させるキャリッジと、前記記録媒体を前記第１方向と直交する第２方向に搬送する記録媒体搬送手段と、前記記録媒体搬送手段により搬送される前記記録媒体を支持する記録媒体支持手段と、前記キャリッジを収容し、前記記録媒体支持手段の鉛直方向上方に位置する第１室であって、前記記録媒体が進入する第１室第１開口部と前記記録媒体が通過する第１室側開口を備える第１室と、前記第１室の前記第２方向下流かつ前記記録媒体支持手段の鉛直方向上方に位置する第２室であって、前記記録媒体が通過する第２室側開口と前記記録媒体が進出する第２室第２開口部を備える第２室と、前記第１室側開口と前記第２室側開口を連通させ前記記録媒体を通過させる連通路と、前記第１方向にカッターを動作させるカッターユニットと、を備え、前記記録媒体支持手段は、前記連通路の鉛直方向下方であって前記第１方向に沿って間隙部を有し、前記カッターユニットは、前記カッターを前記間隙部に沿って動作させ、さらに、前記第２室を前記第１室より低い圧力に保つファンユニットと、を有することを特徴とする。
【０００８】
また、本発明に係る液体噴射装置は、前記第２室側開口は、前記第１室側開口より狭いことを特徴とする。
【０００９】
また、本発明に係る液体噴射装置は、記録媒体に液体を噴射するノズルを有する液体噴射ヘッドと、前記液体噴射ヘッドを抱え、前記記録媒体に対して前記液体噴射ヘッドを相対的に走査させるキャリッジと、前記記録媒体を前記第１方向と直交する第２方向に搬送する記録媒体搬送手段と、前記記録媒体搬送手段により搬送される前記記録媒体を支持する記録媒体支持手段と、前記キャリッジを収容し、前記記録媒体支持手段の鉛直方向上方に位置する第１室であって、前記記録媒体が進入するに第１室第１開口部と前記記録媒体が通過する第１室側開口を備える第１室と、前記第１室の前記第２方向下流かつ前記記録媒体支持手段の鉛直方向上方に位置する第２室であって、前記記録媒体が通過する第２室側開口と前記記録媒体が進出する第２室第２開口部を備える第２室と、前記第１室側開口と前記第２室側開口を連通させ前記記録媒体を通過させる連通路と、前記第１方向にカッターを動作させるカッターユニットと、を備え、前記記録媒体支持手段は、前記連通路の鉛直方向下方であって前記第１方向に沿って間隙部を有し、前記カッターユニットは、前記カッターを前記間隙部に沿って動作させ、さらに、前記キャリッジの一側面に一端が取り付けられると共に他端が前記第１室に取り付けられる第１蛇腹と、前記第１蛇腹の伸縮に伴い、前記第１蛇腹内に気体を前記第１室外から吸気する第１吸気弁と、前記第１蛇腹内から気体を前記第１室内に排気する第１排気弁と、前記キャリッジの他側面に一端が取り付けられると共に他端が前記第１室に取り付けられる第２蛇腹と、前記第２蛇腹の伸縮に伴い、前記第２蛇腹内に気体を前記第１室外から吸気する第２吸気弁と、前記第２蛇腹内から気体を前記第１室内に排気する第２排気弁と、を有することを特徴とする。
【００１０】
また、本発明に係る液体噴射装置は、前記第２室を前記第１室より低い圧力に保つファンユニットと、を有する。
【００１１】
また、本発明に係る液体噴射装置は、前記第２室側開口は、前記第１室側開口より狭いことを特徴とする。
【００１２】
以上、本発明の液体噴射装置によれば、発生した紙粉は、ファンユニットによって低い圧力が保たれた第２室に向かい、液体噴射ヘッドを抱えるキャリッジが収容されている第１室に向かうことがないので、紙粉がインクを噴射するノズルに付着し、画質の低下を招くことがない。
【図面の簡単な説明】
【００１３】
【図１】本発明の実施形態に係る液体噴射装置の一例であるプリンター１０の概要を示す図である。
【図２】本発明の実施形態に係る液体噴射装置の一例であるプリンター１０の側面の模式図である。
【図３】プリンター１０の全体構成のブロック図である。
【図４】カッターユニット１６０及びファンユニット１７０の動作を制御するためのフローチャートを示す図である。
【図５】本発明の他の実施形態に係る液体噴射装置の一例であるプリンター１０の側面の模式図である。
【図６】本発明の他の実施形態に係る液体噴射装置の一例であるプリンター１０の概要を示す図である。
【図７】本発明の他の実施形態に係る液体噴射装置の一例であるプリンター１０の側面の模式図である。
【図８】他の実施形態に係るプリンター１０における第１室内３０の構成を模式的に示す図である。
【発明を実施するための形態】
【００１４】
以下、本発明の実施の形態を図面を参照しつつ説明する。図１は本発明の実施形態に係る液体噴射装置の一例であるプリンター１０の概要を示す図であり、図２は本発明の実施形態に係る液体噴射装置の一例であるプリンター１０の側面の模式図であり、図３はプリンター１０の全体構成のブロック図である。
【００１５】
プリンター１０は、図１や図２に示すように、棒状のガイドレール１２を有しており、このガイドレール１２には、キャリッジ１４が支持されている。このキャリッジ１４は、キャリッジ駆動ユニット１４０（図４参照）によって主走査方向（第１の方向）をガイド
レール１２に沿って往復移動し、記録媒体Ｓ上を走査するようになっている。
【００１６】
キャリッジ１４には、イエロー（Ｙ）、マゼンタ（Ｍ）、シアン（Ｃ）、ブラック（Ｋ）の各色の色インク（液体）を記録媒体Ｓに噴射するノズル（不図示）を形成してなるヘッドユニット１５０が搭載されている。これらイエロー（Ｙ）、マゼンタ（Ｍ）、シアン（Ｃ）、ブラック（Ｋ）の各色インクは、主として画像記録用インクとして、上位装置であるコンピューター１等から受信した画像データに基づいた所定画像の描画のために用いられる。なお、以下において、イエローやイエローインクのこと「Ｙ」などと略記することがある。また、本実施形態においては、イエロー（Ｙ）、マゼンタ（Ｍ）、シアン（Ｃ）、ブラック（Ｋ）の４色のインクを用いる例について説明しているが、ヘッドユニット１５０で扱い得る色種、色数はこれに限定されるものではない。
【００１７】
上記のようなキャリッジ１４は装置内の１つの区画である第１室３０に収容されている。
【００１８】
コンピューター１は、印刷を行う画像に応じた画像データを、プリンタドライバを介してプリンター１０に送る。画像データには、媒体の各画素についてインク色毎にインクを噴射するか否かを示す画素データが含まれている。
【００１９】
本実施形態で使用する上記の各色インクとしては、例えば、水或いは有機溶剤を溶媒として顔料や染料が分散されてなるインクを適宜用いることができる。また、本発明によるプリンター１０に用いられる記録媒体Ｓとしては、普通紙、再生紙、光沢紙等の各種紙、各種布地、各種不織布、樹脂等の材質からなる記録媒体Ｓが適用可能である。
【００２０】
上記のようなヘッドユニット１５０は、コントローラー１１０に接続されており、ヘッドユニット１５０に対しては、インクの噴射を制御するための信号などが送られる。このような信号の中には、コンピューター１から受信した画像データに基づいたものの他、画像データ信号に基づかないフラッシングを実行するためのものがある。
【００２１】
キャリッジ１４の移動可能範囲の中央部分は、記録媒体Ｓに記録を行う記録領域とされており、この記録領域には、記録媒体Ｓを非記録面側から水平に支持するプラテン１９が設けられている。
【００２２】
また、プリンター１０には、複数の搬送ローラー１３等により構成され、副走査方向（第２の方向）に記録媒体Ｓを送るための記録媒体搬送ユニット１３０（図３参照）が設けられている。記録媒体搬送ユニット１３０は、画像記録時において、キャリッジ１４の動作に合わせて、記録媒体Ｓの搬送と停止とを繰り返して記録媒体Ｓを間欠的に搬送する。
【００２３】
また、プリンター１０の筐体上面（不図示）には、例えばタッチパネルにより構成され、ユーザーが選択可能な記録モードを表示するとともに、表示された記録モードをユーザーが選択して入力する入力操作ユニット１２０が設けられている。この入力操作ユニット１２０は、後述のコントローラー１１０に接続されており、所定操作に基づいて選択された記録モードに係る信号をコントローラー１１０に対して出力するようになっている。
【００２４】
図３は、本実施形態におけるプリンター１０を制御するための制御ブロックを示したものであり、この制御ブロックにおけるコントローラー１１０は、たとえば、ＣＰＵ１１１、ＲＯＭ１１２、ＲＡＭ１１３からなり、ＲＯＭ１１２に記録された処理プログラムをＲＡＭ１１３に展開してＣＰＵ１１１によりこの処理プログラムを実行するようになっている。また、インターフェイス１０５は、プリンター１０のコントローラー１１０とコンピューター１を接続するために設けられたインターフェイスである。
【００２５】
このコントローラー１１０は、前述の処理プログラムに従い、記録媒体搬送ユニット１３０、キャリッジ駆動ユニット１４０、ヘッドユニット１５０、カッターユニット１６０、ファンユニット１７０等を動作状況等のステータスに基づいて、制御するようになっている。
【００２６】
キャリッジ１４が収容される第１室３０の下流側には、不図示のヒーターユニットなどを設ける第２室７０が設けられており、第１室３０と第２室との間は隔壁部６０によって隔てられている。
【００２７】
キャリッジ１４が収容される第１室３０には、記録媒体Ｓが進入する側に第１室第１開口部３１が設けられている。また、第２室７０には、記録媒体Ｓが進出する側に第２室第２開口部７２が設けられている。第１室３０と第２室７０との間に設けられた隔壁部６０には、記録媒体Ｓが通過することができる開口６１が設けられている。
【００２８】
カッターユニット１６０は、上記のような隔壁部６０の鉛直下方に設けられていて、キャリッジ１４の走査方向と同じ方向にカッター刃を動作させることで、記録媒体Ｓを第１の方向に切断する切断装置である。プリンター１０で記録媒体Ｓとしてロール紙を用いるような場合には、このようなカッターユニット１６０を動作させることで、記録媒体を所望の大きさになるようにすることができる。
【００２９】
カッターユニット１６０は、コントローラー１１０からの制御指令により、カッター刃を第１の方向に動作させる。また、このようなカッター刃の動作指令については、記録媒体搬送ユニット１３０における記録媒体の搬送状況に応じてコントローラー１１０が決定するようにプログラムされている。
【００３０】
第２室７０には、第２室７０内を減圧するような対流をファンの回転により生成するファンユニット１７０が設けられている。ファンユニット１７０におけるファンのオンオフや、ファンの回転数の制御はコントローラー１１０からの制御指令に基づいて行うことができるようになっている。
【００３１】
カッターユニット１６０によって記録媒体Ｓを切断する際には、紙粉や切りかすが発生する。このような紙粉等は、インクを噴射するノズルに付着し、画質の低下を招くこととなる。そこで、本発明においては、前記のファンユニット１７０によって、第２室７０を、ヘッドユニット１５０が搭載されたキャリッジ１４が収容される第１室３０より低い圧力に保つようにしておき、さらに、第１室３０と第２室７０との間に設けた隔壁部６０の鉛直下方にカッターユニット１６０をレイアウトし、ここでカッター刃を動作させて記録媒体Ｓの切断を行うようにしている。
【００３２】
隔壁部６０の鉛直下方における開口６１は、第１室３０から第２室７０に流入する空気の流速が最も速くなる位置であり、ここにカッターユニット１６０を配置することで、記録媒体Ｓの切断時に発生する紙粉や切りかすは、空気にのって第２室７０側に移動する。これにより、発生した紙粉や切りかすが、インクを噴射するノズルに付着し、画質の低下を招くようなことがなくなる。
【００３３】
ここで、カッターユニット１６０及びファンユニット１７０の動作タイミングなどについて説明する。図４はカッターユニット１６０及びファンユニット１７０の動作を制御するためのフローチャートを示す図である。
【００３４】
図４において、ステップＳ１００で処理が開始されると、続くステップＳ１０１では、
記録媒体搬送ユニット１３０が利用する搬送データが参照されて、記録媒体の搬送状況を取得する。
【００３５】
ステップＳ１０２では、前記搬送データを参照し切断箇所がカッターユニット１６０に到達まで所定時間以内であるか否かが判定される。ステップＳ１０２における判定がＹＥＳである場合にはステップＳ１０３に進み、ＮＯである場合にはステップＳ１０１に戻りループする。
【００３６】
切断箇所がカッターユニット１６０に到達まで所定時間以内であると判定されると、ステップＳ１０３に進み、ファンユニット１７０がオンとされて、第２室７０内の減圧が開始される。
【００３７】
ステップＳ１０４では、記録媒体搬送ユニット１３０が利用する搬送データが参照されて、記録媒体の搬送状況を取得する。ステップＳ１０５では、切断箇所がカッターユニット１６０に到達したか否かが判定される。ステップ１０５における判定がＹＥＳであるときには、ステップＳ１０６に進み、カッターユニット１６０のカッター刃を動作させて、記録媒体Ｓの切断を実行する。
【００３８】
記録媒体Ｓの切断後、ステップＳ１０７では、所定時間が経過したか否かが判定され、当該判定がＹＥＳであるときには、ステップＳ１０８に進み、ファンユニット１７０をオフとして、第２室７０の減圧を停止する。
【００３９】
ステップＳ１０９では、印刷終了指令が上位装置などからあるかが判定される。このような指令があった場合には、ステップＳ１１０に進み、処理を終了する。一方、印刷終了指令がない場合には再びステップＳ１０１に戻りループする。
【００４０】
以上のように構成される本発明の液体噴射装置（プリンター１０）によれば、カッターユニット１７０の動作に伴い発生する紙粉は、ファンユニット１７０によって低い圧力が保たれた第２室７０に向かい、液体噴射ヘッドを抱えるキャリッジ１４が収容されている第１室３０に向かうことがないので、紙粉がインクを噴射するノズルに付着し、画質の低下を招くことがない。
【００４１】
なお、本実施形態においては、図４に示すような動作フローによって、ファンユニット１７０を間欠的に制御するようにしたが、印刷動作中はファンユニット１７０を常にオンにしておくように制御することも可能である。
【００４２】
次に、本発明の他の実施形態について説明する。本実施形態は、隔壁部６０の下方部の開口６１の構成が先の実施形態と異なるのみであるので、この点について説明する。図５は本発明の他の実施形態に係る液体噴射装置の一例であるプリンター１０の側面の模式図である。
【００４３】
本実施形態においては、図５に示すように、第２室７０側の開口６１’は第１室３０側の開口６１より狭くなるように設定されている。このような構成によれば、カッターユニット１６０のカッター刃が動作する位置で空気の流速を速くすることが可能であり、記録媒体Ｓの切断時に発生する紙粉などを、空気にのせて第２室７０側に移動させる効果をより高めることができる。
【００４４】
次に、本発明の他の実施形態について説明する。本実施形態においては、ファンユニット１７０で第２室７０を減圧することに加え、第１室３０における気圧を高めるようにする構成を採用することで、カッターユニット１６０のカッター刃が動作する位置での空気
の流速をより速くする構成となっている。
【００４５】
図６は本発明の他の実施形態に係る液体噴射装置の一例であるプリンター１０の概要を示す図であり、図７は本発明の他の実施形態に係る液体噴射装置の一例であるプリンター１０の側面の模式図である。図６及び図７において、先の実施形態と同様の参照符号が付された構成については同じものであるので説明を省略する。
【００４６】
図６及び図７に示すように、本実施形態においては、第１室３０に収容されているキャリッジ１４両側面に、伸縮する蛇腹構造物がそれぞれ取り付けられている。これらの蛇腹構造物は伸縮方向が主走査方向（第１の方向）となるように取り付けられており、キャリッジ１４による走査に伴い、一方の蛇腹が伸び、他方の蛇腹が縮むようになっている。
【００４７】
第１蛇腹４０は、キャリッジ１４の一側面に、一端が取り付けられると共に他端が第１室３０に取り付けられるようになっている。また、第２蛇腹５０は、キャリッジ１４の他側面に一端が取り付けられると共に他端が第１室３０に取り付けられるようになっている。
【００４８】
これにより、キャリッジ１４が一方向に移動すると、第１蛇腹４０が伸び、第２蛇腹５０が縮み、キャリッジ１４が他方向に移動すると、第１蛇腹４０が縮み、第２蛇腹５０が伸びるような関係となる。以上のような第１蛇腹４０と第２蛇腹５０には、図６及び図７には不図示の逆止弁が設けられており、キャリッジ１４の動きに連動して、第１室内３０に第１室３０外からの空気を取り込むことができるようになっている。
【００４９】
第１蛇腹４０の節腹のピッチは、第２蛇腹５０の節腹のピッチと等しくすると共に、第１蛇腹４０の長さは、第２蛇腹５０の長さと等しくするように構成されている。これは、キャリッジ１４が一方向に移動する場合と、キャリッジ１４が他方向に移動する場合とで、キャリッジ１４を駆動するモーター（不図示）の負荷を同一として装置のバランスを図るためである。
【００５０】
次に、第１蛇腹４０と第２蛇腹５０に関連して設けられる逆止弁と、第１蛇腹４０と第２蛇腹５０の動きに伴う各逆止弁の動作について説明する。
【００５１】
図８は他の実施形態に係るプリンター１０における第１室内３０の構成を模式的に示す図である。第１室内３０内においては第１蛇腹４０に関連して、第１蛇腹４０の伸縮に伴い、第１蛇腹４０内に気体を第１室３０外から吸気する第１吸気弁４１と、第１蛇腹４０内から気体を前記第１室内に排気する第１排気弁４２と、が設けられている。
【００５２】
また、第１室内３０内においては第２蛇腹５０に関連して、第２蛇腹５０の伸縮に伴い、第２蛇腹５０内に気体を第１室３０外から吸気する第２吸気弁５１と、第２蛇腹５０内から気体を第１室３０内に排気する第２排気弁５２と、が設けられている。
【００５３】
図８（Ａ）乃至図８（Ｄ）は、キャリッジ１４の移動に伴い変化する各弁の動作状況を示すものである。
【００５４】
図８（Ａ）においては、キャリッジ１４が右方向に移動したときの様子を示している。このとき、第１蛇腹４０は縮むので、第１吸気弁４１は閉じ、第１排気弁４２が開き、第１蛇腹４０内の気体を第１室３０に排気する。また、第２蛇腹５０は伸びるので、第２吸気弁５１が開き、第２排気弁５２が閉じて、第２蛇腹５０は第１室３０外からの気体を第２蛇腹５０内に吸気する。このような状況は、キャリッジ１４が最右端にくる図８（Ｂ）まで続くこととなる。
【００５５】
次に、キャリッジ１４が最右端の位置から、キャリッジ１４が左方向に移動すると、図８（Ｃ）のようになる。このとき、第１蛇腹４０は伸びるので、第１吸気弁４１が開き、第１排気弁４２が閉じて、第１蛇腹４０は第１室３０外からの気体を第１蛇腹４０内に吸気する。また、第２蛇腹５０は縮むので、第２吸気弁５１は閉じ、第２排気弁５２が開き、第２蛇腹５０内の気体を第１室３０に排気する。このような状況は、キャリッジ１４が最左端にくる図８（Ｄ）まで続くこととなる。
【００５６】
キャリッジ１４の走査に伴い、以上のような繰り返されることで、第１蛇腹４０及び第２蛇腹５０を介して、第１室３０外からの気体が第１室３０内に取り入れられることとなる。第１室３０内に取り入れられた気体は、第１室３０内を加圧することになり、したがって、第１室３０から第２室７０を連通させる開口６１における空気の流れを速くすることができる。これにより、カッターユニット１７０の動作に伴い発生する紙粉は、第２室７０に移動することとなり、発生した紙粉が、インクを噴射するノズルに付着し、画質の低下を招くようなことがなくなる。
【００５７】
なお、図６及び図７に示す実施形態においては、ファンユニット１７０も設けておき、さらに、第２室７０も減圧して、第１室３０と第２室７０との間の圧力差を生じさせるように構成されているが、第１室３０側に上記のような第１蛇腹４０及び第２蛇腹５０に関連する構成が設けてあれば、開口６１における空気の流れを確保できるので、ファンユニット１７０を設けなくてもよい。
【００５８】
以上、本発明の液体噴射装置によれば、発生した紙粉は、ファンユニットによって低い圧力が保たれた第２室に向かい、液体噴射ヘッドを抱えるキャリッジが収容されている第１室に向かうことがないので、紙粉がインクを噴射するノズルに付着し、画質の低下を招くことがない。
【符号の説明】
【００５９】
１・・・コンピューター、１０・・・プリンター、１２・・・ガイドレール、１３・・・搬送ローラー、１４・・・キャリッジ、１５・・・インク供給チューブ、１９・・・プラテン、３０・・・第１室、３１・・・第１室第１開口部、４０・・・第１蛇腹、４１・・・第１吸気弁、４２・・・第１排気弁、５０・・・第２蛇腹、５１・・・第２吸気弁、５２・・・第２排気弁、６０・・・隔壁部、６１・・・開口、７０・・・第２室、７２・・・第２室第２開口部、１０５・・・インターフェイス、１１０・・・コントローラー、１１１・・・ＣＰＵ、１１２・・・ＲＯＭ、１１３・・・ＲＡＭ、１２０・・・入力操作ユニット、１３０・・・記録媒体搬送ユニット、１４０・・・キャリッジ駆動ユニット、１５０・・・ヘッドユニット、１５１・・・（シアンインク）ノズル列、１５２・・・（マゼンタインク）ノズル列、１５３・・・（イエローインク）ノズル列、１５４・・・（ブラックインク）ノズル列、１６０・・・カッターユニット、１７０・・・ファンユニット、
【図１】
0005747565.tif 000002
【図２】
0005747565.tif 000003
【図３】
0005747565.tif 000004
【図４】
0005747565.tif 000005
【図５】
0005747565.tif 000006
【図６】
0005747565.tif 000007
【図７】
0005747565.tif 000008
【図８】
0005747565.tif 000009